(57)【要約】【課題】クランクケースの小型化を図るとともに、オイルフィルタからクランク軸の所要潤滑部位に至る油路を短くして所要潤滑部位に供給される潤滑油内に異物が混入するのを防止することができる内燃機関の潤滑構造を供する。【解決手段】クランクケース11にオイルポンプ駆動軸72が軸支されてオイルポンプ70，80が設けられ、ケースカバー40にＡＣジェネレータ26と隣接して設けられるオイルフィルタ92がオイルポンプ駆動軸72の軸方向に重ねて配設され、ＡＣジェネレータ26を収容するケースカバー40側からクランク軸20のメインジャーナル部20Lj，20Rjに潤滑油が供給される内燃機関の潤滑構造。【選択図】図７
2009162194.tif 000002
【特許請求の範囲】
【請求項１】
クランクケースに回転可能に軸支されるクランク軸の一端にＡＣジェネレータが設けられ、前記クランクケースを側方から覆うケースカバーが、前記ＡＣジェネレータを収容する内燃機関において、
前記クランクケースにオイルポンプ駆動軸が軸支されてオイルポンプが設けられ、
前記ケースカバーに前記ＡＣジェネレータと隣接して設けられるオイルフィルタが前記オイルポンプ駆動軸の軸方向に重ねて配設され、
前記ＡＣジェネレータを収容する前記ケースカバー側から前記クランク軸のメインジャーナル部に潤滑油が供給されることを特徴とする内燃機関の潤滑構造。
【請求項２】
車両に搭載される前記内燃機関の前記クランク軸は、車幅方向に指向して配設され、
前記変速機は、前記クランク軸の後方に配設され、
前記オイルポンプは、前記クランク軸とその後方の前記変速機との間の下方位置に配設され、
前記オイルフィルタは、車幅方向で前記クランク軸内に配設されることを特徴とする請求項１記載の内燃機関の潤滑構造。
【請求項３】
前記オイルポンプ駆動軸の一端に設けられるオイルポンプ被動スプロケットが、その側面を前記オイルフィルタの底壁に対面させて配置されることを特徴とする請求項１または請求項２記載の内燃機関の潤滑構造。
【発明の詳細な説明】
【技術分野】
【０００１】
本発明は、内燃機関の潤滑構造に関する。
【背景技術】
【０００２】
クランクケースに回転可能に軸支されるクランク軸の一端にＡＣジェネレータが設けられ、クランクケースに側方から連結されるケースカバーが、ＡＣジェネレータを収容する内燃機関において、クランクケースにオイルポンプとともにオイルフィルタも設けられる構成が開示されている（例えば、特許文献１参照）。
【０００３】
【特許文献１】特開２００４−２８５８３５号公報
【０００４】
同特許文献１に開示されたオイルポンプは、左右割りのクランクケースの左ケース半体と右ケース半体の境目にポンプ室が形成されており、オイルフィルタは左ケース半体に配設されている。
【発明の開示】
【発明が解決しようとする課題】
【０００５】
このように左ケース半体には、オイルポンプとオイルフィルタとを備えるため、オイルポンプのポンプ軸と同軸上にはオイルフィルタはなく、クランク軸に対して前方斜め下位置にオイルポンプが配設され、クランク軸に対して前方斜め上位置にオイルフィルタが配設さているので、クランク軸の軸方向視でクランクケースが大型化している。
【０００６】
また、クランク軸の内部に形成される軸油路にはケースカバー側から潤滑油を供給する構造となっており、ケースカバーの油路には、クランクケースに配設されたオイルフィルタからクランクケースの油路およびケースカバーの油路を経て潤滑油が供給されるので、オイルフィルタから下流側の油路が長尺となり、所要潤滑部位に供給される潤滑油内に異物が混入する可能性がある。
【０００７】
本発明は、かかる点に鑑みなされたもので、その目的とする処は、クランクケースの小型化を図るとともに、オイルフィルタからクランク軸の所要潤滑部位に至る油路を短くして所要潤滑部位に供給される潤滑油内に異物が混入するのを防止することができる内燃機関の潤滑構造を供する点にある。
【課題を解決するための手段】
【０００８】
上記目的を達成するために、請求項１記載の発明は、クランクケースに回転可能に軸支されるクランク軸の一端にＡＣジェネレータが設けられ、前記クランクケースを側方から覆うケースカバーが、前記ＡＣジェネレータを収容する内燃機関において、前記クランクケースにオイルポンプ駆動軸が軸支されてオイルポンプが設けられ、前記ケースカバーに前記ＡＣジェネレータと隣接して設けられるオイルフィルタが前記オイルポンプ駆動軸の軸方向に重ねて配設され、前記ＡＣジェネレータを収容する前記ケースカバー側から前記クランク軸のメインジャーナル部に潤滑油が供給される内燃機関の潤滑構造とした。
【０００９】
請求項２記載の発明は、請求項１記載の内燃機関の潤滑構造において、車両に搭載される前記内燃機関の前記クランク軸は、車幅方向に指向して配設され、前記変速機は、前記クランク軸の後方に配設され、前記オイルポンプは、前記クランク軸とその後方の前記変速機との間の下方位置に配設され、前記オイルフィルタは、車幅方向で前記クランク軸内に配設されることを特徴とする。
【００１０】
請求項３記載の発明は、請求項１または請求項２記載の内燃機関の潤滑構造において、前記オイルポンプ駆動軸の一端に設けられるオイルポンプ被動スプロケットが、その側面を前記オイルフィルタの底壁に対面させて配置されることを特徴とする。
【発明の効果】
【００１１】
請求項１記載の内燃機関の潤滑構造によれば、ケースカバーにＡＣジェネレータと隣接して設けられるオイルフィルタが、クランクケースに設けられるオイルポンプ駆動軸の軸方向に重ねて配設されるので、軸方向視で内燃機関の小型化を図ることができる。
【００１２】
また、ケースカバー側からクランク軸のメインジャーナル部に潤滑油が供給される構造において、ケースカバーにＡＣジェネレータと隣接してオイルフィルタが設けられているので、オイルフィルタからクランク軸のメインジャーナル部等の所要潤滑部位に至る油路を短くすることができ、潤滑部位に供給される潤滑油内に異物が混入するのを極力防止することができる。
【００１３】
請求項２記載の内燃機関の潤滑構造によれば、車幅方向に指向するクランク軸の後方に変速機が配設される内燃機関において、クランク軸とその後方の変速機との間の下方のスペースを利用してオイルポンプが配設されるので、クランクケースの小型化が可能で、かつオイルフィルタが車幅方向でクランク軸内に配設されることでケースカバーを車幅方向に拡大することがなく、よって内燃機関の小型化を図ることができる。
かかる内燃機関が自動二輪車に搭載される場合は、バンク角を容易に確保することができる。
【００１４】
請求項３記載の内燃機関の潤滑構造によれば、オイルポンプ駆動軸の一端に設けられるオイルポンプ被動スプロケットが、その側面を前記オイルフィルタの底壁に対面させて配置されるので、円板状のオイルポンプ被動スプロケットをオイルフィルタの底壁に平行に干渉を避けつつ近接して配置することができ、内燃機関の小型化を図ることができる。
【発明を実施するための最良の形態】
【００１５】
以下、本発明に係る一実施の形態について図１ないし図１４に基づいて説明する。
本実施の形態に係る内燃機関Ｅは、内燃機関Ｅの後方に変速機Ｍを一体に備えて自動二輪車に搭載される。
なお、本実施の形態において、前後左右は、車両を基準としたときの前後左右に一致するものとする。
【００１６】
自動二輪車の一部省略した部分側面図である図１および同平面図である図２を参照して、車体フレーム１のヘッドパイプ２から２股に分かれて後方へ斜め下向きに延出したメインフレーム３が後部を下向きに屈曲させてピボットプレート３ｐを形成しており、同左右一対のメインフレーム３の中央よりヘッドパイプ２寄り位置から垂設されたブラケット３ｂの下端の支軸４ａとピボットプレート３ｐの上下部位の支軸４ｂ，４ｃの３支軸４ａ，４ｂ，４ｃで内燃機関Ｅは、メインフレーム３に懸架される。
左右一対のピボットプレート３ｐ，３ｐの中央高さ位置に架設されたピボット軸５に、図示しない後輪を支持するリヤフォーク６が揺動自在に前端を軸支されている。
【００１７】
内燃機関Ｅは、水冷式の単気筒４ストローク内燃機関であり、図５を参照して、車両の車幅方向でもある左右方向に指向してクランク軸20を軸支するクランクケース11は、クランク軸20が配置されるクランク室Ｃｃを形成するとともに、クランク室Ｃｃの後方には垂直な仕切壁11ｍで仕切られて変速機Ｍを収容するミッション室Ｃｍが形成され、クランク室Ｃｃの下方には略水平な仕切壁11ｏで仕切られてオイルを貯留するオイルパン室Ｃｏが一体に形成される構造をしている。
【００１８】
単気筒４ストローク内燃機関Ｅは、上記クランクケース11のクランク室Ｃｃの上に、１本のシリンダ12ａを有するシリンダブロック12と、シリンダブロック12の上部にガスケットを介してヘッドボルトｈ１，ｈ２により結合されるシリンダヘッド13と、シリンダヘッド13の上部に結合されるシリンダヘッドカバー14とから構成される機関本体を備える。
【００１９】
クランクケース11の上に重ねられるシリンダブロック12，シリンダヘッド13，シリンダヘッドカバー14は、クランクケース11から若干後傾した姿勢で上方に延出している。
このようにシリンダが後傾姿勢にある内燃機関Ｅのクランクケース11の前半上部がクランク室Ｃｃであり、後半部がミッション室Ｃｍとなっている。
なお、クランク室Ｃｃの下方のオイルパン室Ｃｏは、クランクケース11の下方に延出して一体に形成されたオイルパン15の内側の室である。
【００２０】
メインフレーム３に支持された内燃機関Ｅは、メインフレーム３より下方で、ブラケット３ｂとピボットプレート３ｐとの間に懸架され、下方のクランクケース11から後傾して上方に延出したシリンダブロック12，シリンダヘッド13，シリンダヘッドカバー14のうちシリンダヘッド13とシリンダヘッドカバー14が、左右一対のメインフレーム３，３間に位置している。
【００２１】
クランクケース11のミッション室Ｃｍには、変速機Ｍのメイン軸21とカウンタ軸22とが、クランク軸20と平行に左右水平方向に指向して配設されており、カウンタ軸22はクランクケース11を左方に貫通して外部に突出して出力軸となっており、突出した左端に駆動チェーンスプロケット23が嵌着されている。
カウンタ軸22はリヤフォーク６を軸支するピボット軸５の前方近い位置にあり、カウンタ軸22に嵌着された駆動チェーンスプロケット23に巻き掛けられる駆動チェーン24が、リヤフォーク６の後端に設けられる図示されない被動チェーンスプロケットに架渡されてチェーン伝達機構が構成され後輪側に動力が伝達される。
【００２２】
シリンダヘッド13は、前面から斜め上方に吸気ポート13ｉの延長である吸気通路16ｉが延出し、同吸気通路16ｉにスロットルボディ17が左右一対のメインフレーム３，３間で連結されており、スロットルボディ17の吸気通路上流側は開放されている。
また、若干後傾したシリンダヘッド13の後面からは、排気ポート13ｅの延長である排気通路16ｅが後方に略水平に延出しており、同排気通路16ｅに排気管18が左右一対のメインフレーム３，３間で連結されている。
【００２３】
排気通路17の連結出口は車体の右寄りに位置して、図２に示すように排気管18の上流連結端18ａは、車体の左右方向中心軸Ｌｂに対して右寄りの位置（内燃機関Ｅのシリンダ軸線Ｌｃの存在する左右方向位置）で排気通路16ｅに連結されている。
【００２４】
このように後傾したシリンダヘッド13の後面の排気通路17に連結されて略水平に後方へ延出した排気管18は、クランクケース11の後半部の変速機Ｍが収納されるミッション室Ｃｍの上方空間を左方向に湾曲し徐々に下降しながら前方に向きを変えて、左側のメインフレーム３の下を通り、内燃機関Ｅのシリンダブロック12の左側面に沿って前方斜め下向きに延び、クランクケース11の前面に回り込んだ後に急角度に下方に延びてクランクケース11の下端（オイルパン15の下端）に至ると、車体の左右方向中央でオイルパン15の下端を後方に回り込んでマフラー19に連結されている（図１，図２参照）。
【００２５】
クランクケース11の下面は、オイルパン15の前部が下方に突出して最低位置にあり、後方に行くに従い上昇する傾斜面をなし、後部のミッション室11の下方では概ね水平となっており、排気管18に連結されたマフラー19はこのクランクケース11の下面に沿って後方に延びている。
【００２６】
車体フレーム１は、各部に分割された合成樹脂製のカバー部材を連結した車体カバーにより全体が覆われており、特に内燃機関Ｅの左右側方はボディカバー７で覆われている。
左右のボディカバー７は、下部に行くにしたがい互いに接近して、最下端が互いに連結された先細形状を形成しており、前記排気管18およびマフラー19が下方をボディカバー７で覆われて保護されている（図７，図８参照）。
【００２７】
シリンダブロック12の下部に結合されるクランクケース11は、シリンダ軸線Ｌｃを含むと共にクランク軸20と直交する平面で左右に２分割された１対のケースである左クランクケース11Ｌと右クランクケース11Ｒとが、互いの合せ面11Ls，11Rs（図５，図９も参照）が合わせられた状態で、ボルトにより結合されて構成される。
【００２８】
左右クランクケース11Ｌ，11Ｒが合わされて形成されるクランク室Ｃｃに左右方向に指向して回転自在に軸支されるクランク軸20は、クランクピン20ｐで連結された左右クランクウエブ20ｗ，20ｗから左右に軸体20Ｌ，20Ｒが同軸に延びた形状の一体に成型されたものである。
かかるクランク軸20における左右軸体20Ｌ，20Ｒのクランクウエブ20ｗ，20ｗと隣接する部分が軸受されるメインジャーナル部20Lj，20Rjである。
【００２９】
左右クランクケース11Ｌ，11Ｒの主軸受部11Lb，11Rbに挟まれた空間がクランク室Ｃｃで、左右クランクウエブ20ｗ，20ｗが収容され、その左右のメインジャーナル部20Lj，20Rjがそれぞれメタル軸受25，25を介して主軸受部11Lb，11Rbに軸支される。
左右クランクケース11Ｌ，11Ｒの合体でクランク室Ｃｃの上方に形成された円開口に、シリンダブロック12のシリンダ12ａの下部が嵌入され、シリンダ12ａのシリンダボア12ｂ内にピストン30が往復摺動自在に嵌合される。
【００３０】
ピストン30のピストン頂部31の裏面に突出された一対のピンボス34，34間にピストンピン38が架設され、同ピストンピン38に小端部が軸支されクランク軸20のクランクピン20ｐに大端部が大端メタル39ａを介して軸支されたコンロッド39によりピストン30とクラン軸20が連接されてクランク機構が構成されている。
【００３１】
左クランクケース11Ｌは左側主軸受部11Lbより左側にチェーン室11ccが形成され、クランク軸20の左側主軸受部11Lbより左方に突出した左軸体20Ｌは、チェーン室11ccを貫通し、さらに左クランクケース11Ｌの左側壁の開口を貫通しており、チェーン室11ccに相当する部分にはオイルポンプ駆動スプロケット20osと駆動カムチェーンスプロケット20csが形成され、左端にはＡＣジェネレータ26のアウタロータ26ｒが嵌着されている。
【００３２】
左クランクケース11Ｌの左側壁におけるクランク室Ｃｃおよびオイルパン15の側方の開口を塞ぐ左サイドカバー40に、ＡＣジェネレータ26のコイルが巻回されるインナステータ26ｓが固定されて、その周囲に磁石を保持したアウタロータ26ｒが回転するＡＣジェネレータ26が構成される。
左サイドカバー40は椀状をして、その底面中央から突出した円筒部41がクランク軸20の左端部に被せられて、同円筒部41にボルト26ｂによりインナステータ26ｓの固定子鉄心が固着される。
【００３３】
他方、クランク軸20における右クランクケース11Ｒの右側主軸受部11Rbより右方に突出した右軸体20Ｒには、主軸受部11Rb寄りからバランサ駆動ギヤ27ａと主駆動ギヤ28ａが嵌合されてワッシャ29ｗを介してフランジボルト29により固着されている（図６，図７参照）。
【００３４】
バランサ駆動ギヤ27ａは、左クランクケース11Ｌおよび右クランクケース11Ｒに１対の軸受55ｂ，55ｂを介して回転可能に支持されるバランサ軸55の右軸端部に設けられるバランサ被動ギヤ27ｂに噛合する（図７参照）。
なお、バランサ軸55の右軸端部には、バランサ被動ギヤ27ｂのほかに水ポンプ駆動ギヤ59ａが嵌着されている。
【００３５】
左右クランクウエブ20ｗ，20ｗ間を回転するバランスウエイト55ｗを有するバランサ軸55は、クランク軸20の前方の斜め上方位置に配置され、バランサ駆動ギヤ27ａとバランサ被動ギヤ27ｂの噛合を介してクランク軸20により該クランク軸20と等速で逆方向に回転駆動されて、ピストン30の往復運動により発生する１次振動を低減する。
【００３６】
クランク室Ｃｃの後方のミッション室Ｃｍに配設される変速機Ｍは、メインギヤ群21ｇおよびカウンタギヤ群22ｇがそれぞれ設けられた前記メイン軸21およびカウンタ軸22と、変速操作機構により操作されるシフトドラム53およびシフトフォーク54ａ，54ｂ，54ｃを有する変速切換え機構52とを備える（図４参照）。
【００３７】
メイン軸21は、クランク軸20と略同じ上下位置にあって、左右クランクケース11Ｌ，11Ｒに軸受21ｂ，21ｂを介して回転可能に軸支され、右側軸受21ｂより右方に突出した部分に多板摩擦式の変速クラッチ50が配置され、同変速クラッチ50に設けられる主被動ギヤ28ｂが前記主駆動ギヤ28ａと噛合して１次減速機構が構成されている。
変速クラッチ50は、多数のクラッチ板50ｐを備え、クラッチ操作機構により操作されて変速機Ｍへのクランク軸20の動力の伝達および遮断を行う。
【００３８】
カウンタ軸22は、メイン軸21の後方の斜め上方に位置して、左右クランクケース11Ｌ，11Ｒに軸受22ｂ，22ｂを介して回転可能に軸支され、左側軸受22ｂより外部に突出した左端に前記チェーン駆動スプロケット23が嵌着される。
【００３９】
したがって、内燃機関Ｅの動力は、クランク軸20から、１次減速機構28ａ，28ｂおよびクラッチ45を介して変速機Ｍに伝達され、変速機Ｍのメインギヤ群21ｇとカウンタギヤ群22ｇとの噛合において変速された出力が、カウンタ軸22からチェーン伝達機構を介して図示されないチェーン被動スプロケットに伝達され、さらに２次減速機構（図示されず）を介して後輪に伝達される。
【００４０】
右クランクケース11Ｒの右側面には、オイルパン15を除くクランク室Ｃｃと変速室Ｃｍの側方に右サイドカバー45が被せられる。
右サイドカバー45は、前記変速クラッチ50の周囲を覆い開口する円筒部45ａ、クランク軸20の軸方向箇所に円開口45ｂが形成されるとともに、円開口45ｂの上方に水ポンプ56のポンプボディ45ｃが形成されており、円筒部45ａの開口にはクラッチカバー46が被せられ、円開口45ｂには蓋部材47が嵌合され、水ポンプボディ45ｃには水ポンプカバー48が被せられる。
【００４１】
なお、水ポンプ56は、水ポンプ駆動軸57が左右方向に指向して水ポンプボディ45ｃおよび右クランクケース11Ｒに回転自在に軸支され、同水ポンプ駆動軸57の右端に嵌着されたインペラ58が水ポンプカバー48に覆われる。
水ポンプ駆動軸56ａには水ポンプ被動ギヤ59ｂが嵌着されていて、同水ポンプ被動ギヤ59ｂはより前方の前記バランサ軸55の右軸端部に嵌着された水ポンプ駆動ギヤ59ａと噛合し、バランサ軸55の回転動力が水ポンプ56の駆動に伝達される。
【００４２】
内燃機関Ｅは、ＤＯＨＣ型の動弁機構を備え、図５および図６を参照して、シリンダヘッド13には、シリンダ12ａに対応して、シリンダ軸線方向でピストン30に対向して燃焼室60が構成され、該燃焼室60に前記吸気ポート13ｉが前半部左右に１対開口し、前記排気ポート13ｅが後半部左右に１対開口しており、燃焼室60の天井壁中央には点火栓61が先端を燃焼室60に臨ませて取り付けられる。
【００４３】
シリンダヘッド３に一体に嵌着された弁ガイド64ｉ，64ｅにそれぞれ摺動可能に支持される吸気弁62および排気弁63は、内燃機関Ｅに備えられる動弁装置65により駆動されて、吸気ポート13ｉの吸気開口および排気ポート27の排気開口をクランク軸20の回転に同期して開閉する。
【００４４】
動弁装置65は、シリンダヘッド13とシリンダヘッドカバー14により形成される動弁室14ｖ内に設けられ、左右１対の吸気弁62の上を左右方向に指向して配設された吸気カム軸66と左右１対の排気弁63の上を左右方向に指向して配設された排気カム軸67が、シリンダヘッド13とカムホルダ68ｉ，68ｅに挟まれるようにして回転自在に軸支されている。
【００４５】
吸気カム軸66のカムロブ66ｃが弁ばね62ｓにより上方に付勢された吸気弁62の上端に被せられたバルブリフタ62ｌの上面に接し、吸気カム軸66と一体のカムロブ66ｃの回転により吸気弁62が所要のタイミングで開閉駆動し、同様に排気カム軸67のカムロブ67ｃが弁ばね63ｓにより上方に付勢された排気弁63の上端に被せられたバルブリフタ63ｌの上面に接し、排気カム軸67と一体のカムロブ67ｃの回転により排気弁63が所要のタイミングで開閉駆動する。
【００４６】
吸気カム軸66と排気カム軸67は、それぞれの左軸端部に被動カムチェーンスプロケット66ｓ，67ｓが嵌着されて、この２つの被動カムチェーンスプロケット66ｓ，67ｓと前記クランク軸20の左軸体20Ｌに形成された駆動カムチェーンスプロケット20csとの間にカムチェーン69が架渡され（図６参照）、クランク軸20の回転動力がカムチェーン69を介して吸気カム軸66と排気カム軸67の回転に伝達され、クランク軸20に同期して吸気カム軸66と排気カム軸67が回転して吸気弁62と排気弁63が開閉駆動する。
【００４７】
次に、内燃機関Ｅに備えられて潤滑油が循環する潤滑系について説明する。
図５および図９を参照して、クランクケース11のクランク室Ｃｃと下方のオイルパン室Ｃｏとを仕切る仕切壁11ｏは、クランクウエブ20ｗの回転軌跡に沿ってクランク室Ｃｃの下半部を略円弧状に仕切っており、その後部にトロコイド型のスカベンジポンプ70のロータ収容室71が形成されている。
【００４８】
このロータ収容室71は、左右クランクケース11Ｌ，11Ｒの両合せ面11Ls，11Rsに臨んで形成されている。
ロータ収容室71は、左クランクケース11Ｌに合せ面11Lsに臨んで凹出形成される左ロータ収容凹部71Ｌと右クランクケース11Ｒに合せ面11Rsに臨んで凹出形成される右ロータ収容凹部71Ｒとがポンプ駆動軸72の軸方向に連通して構成されている（図７参照）。
【００４９】
本スカベンジポンプ70の左右ロータ収容凹部71Ｌ，71Ｒには、それぞれ左右アウタロータ73Ｌ，73Ｒが収容され、左右アウタロータ73Ｌ，73Ｒの内側にそれぞれ左右インナロータ74Ｌ，74Ｒが収容されており、左右インナロータ74Ｌ，74Ｒは共通のポンプ駆動軸72に嵌着されて一体に回動する。
【００５０】
ロータ収容室71を左右ロータ収容凹部71Ｌ，71Ｒの双方で構成することで、各ロータ収容凹部71Ｌ，71Ｒは深く形成することなく所要のポンプ容量を確保し易く、それぞれに別体の左右アウタロータ73Ｌ，73Ｒおよび左右インナロータ74Ｌ，74Ｒが収容されるので、ロータ73Ｌ，73Ｒ，74Ｌ，74Ｒおよびロータ収容凹部71Ｌ，71Ｒに高い加工精度が要求されず、大型化してポンプ容量を増加することが容易にできる。
【００５１】
このロータ収容室71から前方に仕切壁11ｏの上側に仕切壁11ｏに沿って延びる水平壁11ｈにより仕切壁11ｏとの間に吸入油路Ａ１が形成され、ロータ収容室71の上壁部に吐出油口Ａ２が上方に向けて開口している。
スカベンジポンプ70は、オイルパン室Ｃｏの上部にあって、吐出油口Ａ２はオイルパン室Ｃｏの後方の上部空間に開口している。
【００５２】
したがって、クランク室Ｃｃおよびシリンダブロック12等のクランク室Ｃｃより上方の各潤滑部位から仕切壁11ｏ，11ｍで仕切られたクランク室Ｃｃに戻ってきたオイルは、仕切壁11ｏの上に溜り、クランクウエブ20ｗの回転で掻き揚げられてクランク軸20等の潤滑部位に再び散布されるとともに、スカベンジポンプ70の駆動により仕切壁11ｏに沿って形成されたクランクケース11の左右中央の吸入油路Ａ１から吸入され、吐出油口Ａ２から上向きに吐出してオイルパン室Ｃｏの上部空間に効率良く排出される。
【００５３】
クランク室Ｃｃの下方にオイルパン室Ｃｏが形成され、スカベンジポンプ70の吐出油口Ａ２がロータ収容室71の上壁部に位置してスカベンジ吐出油路を簡素化して内燃機関Ｅの軽量化を図っている。
そして、スカベンジポンプ70の吐出油口Ａ２は略上方に向いてオイルパン室Ｃｏ内の上部空間に開口しているので、オイルパン室Ｃｏ内のオイルがスカベンジポンプ70内に浸入することが極力防止され、オイルパン室Ｃｏ内のオイルが攪拌されるのを抑え気泡の混入を防止することができる。
【００５４】
この左右クランクケース11Ｌ，11Ｒの両合せ面11Ls，11Rsに構成されるスカベンジポンプ70の左方にトロコイド型のフィードポンプ80が、左クランクケース11Ｌにロータ収容室81を形成して設けられている（図７参照）。
ロータ収容室81の左側開口を蓋部材82が閉塞して内部にアウタロータ83とインナロータ84を収容する。
【００５５】
このフィードポンプ80と前記スカベンジポンプ70は、図７に示すように、ポンプ駆動軸72を共通とし、同ポンプ駆動軸72にフィードポンプ80のインナロータ84が嵌着されるとともに、スカベンジポンプ70の左右インナロータ74Ｌ，74Ｒが嵌着されて、一体に回動する。
【００５６】
ポンプ駆動軸72の蓋部材82より左方に突出した端部にオイルポンプ被動スプロケット86ｓが嵌着され、同オイルポンプ被動スプロケット86ｓと前記クランク軸20に形成されたオイルポンプ駆動スプロケット20osとの間にオイルポンプ駆動チェーン87が架渡され、クランク軸20の回転動力がスカベンジポンプ70とフィードポンプ80の駆動に伝達される。
【００５７】
図１０を参照して、フィードポンプ80のロータ収容室81は、その吸入ポートから前方に通路壁81ａが延出しており、その前端開口に吸油管91の上端が連結される。
図８に示すように、吸油管91は、左クランクケース11Ｌ内で、上端が通路壁81ａの前端開口に連結されて左方に延出し、次いで下方へ湾曲した後にオイルパン室Ｃｏ内を斜め下方に直線的に延び、下端に設けられたオイルストレーナ90がオイルパン室Ｃｏの前部の最低底面の近傍に配置されている。
【００５８】
したがって、オイルパン15のオイルパン室Ｃｏに貯留されたオイルは、フィードポンプ80の駆動によりオイルストレーナ90で浄化されて吸油管91内の吸入油路Ｂ１を吸い上げられ、通路壁81ａ内の吸入ケース油路Ｂ２を通って吸入される。
【００５９】
以下、図３，図７，図１０および図１１を参照して、左クランクケース11Ｌにおけるフィードポンプ80のロータ収容室81の吐出ポート81ｅからは、後方斜め下向きに吐出ケース油路Ｂ３が形成され、同吐出ケース油路Ｂ３の後部から左クランクケース11Ｌの周壁に沿って左方に屈曲して吐出ケース油路Ｂ４が形成されている。
なお、吐出ケース油路Ｂ３の途中にはリリーフ弁85が設けられており、吐出油圧が設定圧を超えたときは吐出油の一部をオイルパン室Ｃｏに戻すようになっている。
【００６０】
左クランクケース11Ｌに左方から被せられる左サイドカバー40には、その合せ面で前記吐出ケース油路Ｂ４に連通する吐出ケース油路Ｂ５が、オイルフィルタ92まで延出形成されている（図３，図１３，図１４参照）。
オイルフィルタ92は、左クランクケース11Ｌにおけるクランク軸20の左端部を覆う円筒部41と後端の吐出ケース油路Ｂ４に対応する部分との間に有底円筒状のフィルタハウジング93を形成して設けられる。
【００６１】
オイルフィルタ92は、図７を参照して、クランク軸20の左端部に設けられるＡＣジェネレータ26に隣接した位置にあり、図３に示す側面視で、フィードポンプ80（および同軸のスカベンジングポンプ70）と重なり、ポンプ駆動軸72と同軸上にある。
そして、図７に示すように、ポンプ駆動軸72の左端に嵌着されたオイルポンプ被動スプロケット86ｓが、その側面をオイルフィルタ92に対面させて配置されている。
円板状のオイルポンプ被動スプロケット86ｓをオイルフィルタ92の底壁（フィルタハウジング93の底壁）に平行に干渉を避けつつ近接して配置することができ、内燃機関Ｅの小型化を図ることができる。
【００６２】
図１４に示すように、左クランクケース11Ｌは、円筒部41の底壁の外側面が最も左方位置にあって、フィルタハウジング93はその外側面より内側（右側）に位置しており、図７に図示するように、オイルフィルタ92が左クランクケース11Ｌから左方に突出することはない。
したがって、内燃機関Ｅの車幅方向の幅を小さく抑えることができる。
【００６３】
図７を参照して、フィルタエレメント92ｅを収容するフィルタハウジング93の左方開口に嵌挿されるフィルタ蓋部材94に、オイルフィルタ92から流出するオイルを案内する流出ケース油路Ｂ６が形成されており、同流出ケース油路Ｂ６に連通するケース油路Ｂ７が、左サイドカバー40に前記クランク軸20の左端部を覆う円筒部41内まで延びて形成されている。
【００６４】
フィルタ蓋部材94は、外周円周面に周方向に流出ケース油路Ｂ６を挟んで内外２条の溝条が形成されて、それぞれに内側シール部材95と外側シール部材96が嵌合されて、フィルタハウジング93の左方開口に嵌挿される。
内側シール部材95は、フィルタエレメント92ｅを通過しない浄化されていないオイルが流出ケース油路Ｂ６に漏れて下流に流出するのを防止し、外側シール部材96は、流出ケース油路Ｂ６から外部にオイルが漏れるのを防止している。
【００６５】
クランク軸20が挿入された有底円筒部41は、クランク軸20の周囲に嵌装されたオイルシール100により底部の内空間41ｓが油密に仕切られて形成されており、この内空間41ｓにケース油路Ｂ７が連通している（図７参照）。
【００６６】
クランク軸20は、左軸体20Ｌ、左クランクウエブ20ｗ、クランクピン20ｐ、右クランクウエブ20ｗ、右メインジャーナル部20Rjの各内部に連続した軸油路Ｃ１，Ｃ２，Ｃ３が穿設されており、左軸体20Ｌ内部の軸油路Ｃ１は、左端が内空間41ｓに開口し、右側の左メインジャーナル部20Ljからは枝軸油路Ｃｊが径方向に分岐して延び左メインジャーナル部20Ljの外周面に開口している。
【００６７】
軸油路Ｃ２と軸油路Ｃ３が交差するクランクピン20ｐからは枝軸油路Ｃｐが径方向に分岐して延びクランクピン20ｐの外周面に開口し、軸油路Ｃ３の右端の右メインジャーナル部20Rjからは径方向に軸油路Ｃ４が軸油路Ｃ３の延長として延び右メインジャーナル部20Rjの外周面に開口している。
【００６８】
したがって、オイルフィルタ92から流出しケース油路Ｂ７を通って内空間41ｓに至ったオイルは、クランク軸20の左軸体20Ｌの左端の開口から軸油路Ｃ１に入り、さらに連続する軸油路Ｃ２，Ｃ３，Ｃ４と流れ、右メインジャーナル部20Rjの外周のメタル軸受25による軸受部を潤滑するとともに、途中枝軸油路Ｃｊで分流したオイルが左メインジャーナル部20Ljの外周のメタル軸受25による軸受部を潤滑し、枝軸油路Ｃｐで分流したオイルがクランクピン20ｐの外周の大端メタル39による軸支部を潤滑する。
【００６９】
図６を参照して、右クランクケース11Ｒにおける右側主軸受部11Rbは、クランク軸20の右メインジャーナル部20Rjをメタル軸受25を介して軸支する。
この右側主軸受部11Rbにオイルシール102が嵌着されて軸受孔内を油密に仕切っている。
【００７０】
右側主軸受部11Rbに、一端を開口したピストンジェット油路Ｊ１がシリンダボア12ｂ内に向けて斜め上方に延び、他端開口にジェットノズルＮ１が装着されている。
【００７１】
したがって、クランク軸20内の軸油路Ｃ１，Ｃ２，Ｃ３を左クランクケース11Ｌ側から右クランクケース11Ｒ側に流れたオイルは、右メインジャーナル部20Rjの外周のメタル軸受25による軸受部を潤滑し、さらに右側主軸受部11Rbに設けられたオイルシール102により閉塞され、ピストンジェット油路Ｊ１を通ってジェットノズルＮ１に供給され、該ジェットノズルＮ１からシリンダボア12ｂ内に向けて斜め上方に噴射され（図５，図６参照）、シリンダボア12ｂ内を往復摺動するピストン30の裏面にオイルが当たり飛散してピストン30を裏面から冷却する。
【００７２】
一方で、図３および図１４を参照して、左サイドカバー40のクランク軸20の左端が挿入される内空間41ｓから左サイドカバー40の側壁内を後方斜め上向きにケース油路Ｄ１が延び、次いで右方向に屈曲したケース油路Ｄ２が左クランクケース11Ｌとの合せ面まで延びている。
【００７３】
左クランクケース11Ｌには、図１２に図示するように、ケース油路Ｄ２に直線的に連通するケース油路Ｄ３が形成され、ケース油路Ｄ３はさらに左クランクケース11Ｌの左側主軸受部11Lbのピストンジェット油路Ｊ２に連通している。
ピストンジェット油路Ｊ２が開口する左側主軸受部11Lbの右方に向いた垂直面にジェットノズル部材105がボルト106により固着されており、ジェットノズル部材105のジェットノズルＮ２がピストンジェット油路Ｊ２に連通する。
【００７４】
ジェットノズルＮ２は、ピストンジェット油路Ｊ２からオイルの供給を受け、シリンダボア12ｂ内に向けて斜め上方にオイルを噴射し（図５，図６参照）、シリンダボア12ｂ内を往復摺動するピストン30の裏面に当てピストン30を裏面から冷却する。
【００７５】
なお、左クランクケース11Ｌのケース油路Ｄ３とピストンジェット油路Ｊ２の連結部から上方にケース油路Ｅ１が分岐している（図１２参照）。
図３を参照して、ケース油路Ｅ１は、シリンダブロック12との合せ面に形成されたケース油溝Ｅ２に開口し、ケース油溝Ｅ２は左後のヘッドボルトｈ２のボルト孔を利用したシリンダ油路Ｅ３に連通しており、シリンダ油路Ｅ３の上端がシリンダヘッド13との合せ面においてシリンダヘッド13に形成されたヘッド油路Ｅ４に連通し、上方に延びるヘッド油路Ｅ４からカムホルダ68ｅ，68ｉにオイルが供給され、動弁装置65の所要部が潤滑される。
【００７６】
本内燃機関Ｅの主な潤滑構造は、以上のように構成されており、図３に示すように、左サイドカバー40にＡＣジェネレータ26と隣接して設けられるオイルフィルタ92が、クランクケース11に設けられるオイルポンプ駆動軸72の軸方向に重ねて配設されるので、軸方向視で内燃機関Ｅの小型化を図ることができる。
【００７７】
また、図７に示すように、左サイドカバー40側（ケース油路Ｂ６，Ｂ７）からクランク軸20の内部に形成された軸油路Ｃ１，Ｃ２，Ｃ３を経てクランク軸20のメインジャーナル部20Lj，20Rj等に潤滑油が供給される構造において、左サイドカバー40にＡＣジェネレータ26に隣接してオイルフィルタ92が設けられているので、オイルフィルタ92からクランク軸20のメインジャーナル部20Lj，20Rj等の所要潤滑部位に至る油路を短くすることができ、潤滑部位に供給される潤滑油内に異物が混入するのを極力防止することができる。
【００７８】
車幅方向に指向するクランク軸20の後方に変速機Ｍが配設される内燃機関Ｅのクランクケース11において、図３の側面図に示すように、クランク軸20とその後方の変速機Ｍとの間の下方のスペースを利用してスカベンジポンプ70およびフィードポンプ80が配設されるので、クランクケース11の小型化が可能で、かつ図７の断面図に示すように、オイルフィルタ92が車幅方向でクランク軸20内に配設されることで、左サイドカバー40を車幅方向に拡大することがなく、よって内燃機関Ｅの更なる小型化を図ることができる。
かかる車幅方向の幅を小さく抑えた内燃機関Ｅが搭載された自動二輪車は、バンク角を容易に確保することができる。
【００７９】
スカベンジポンプ70およびフィードポンプ80の共通のオイルポンプ駆動軸72の一端に設けられるオイルポンプ被動スプロケット86ｓが、その側面をオイルフィルタ92の底壁に対面させて配置されるので、円板状のオイルポンプ被動スプロケット86ｓをオイルフィルタ92の底壁に平行に干渉を避けつつ近接して配置することができ、内燃機関Ｅの車幅方向の幅を小さく抑え、小型化を図ることができる。
【図面の簡単な説明】
【００８０】
【図１】本発明の一実施の形態に係る内燃機関を搭載した自動二輪車の一部省略した部分側面図である。
【図２】同平面図である。
【図３】内燃機関の左側面図である。
【図４】内燃機関の一部省略した右側面図である。
【図５】内燃機関のクランクケースの合せ面で切断した左断面図である。
【図６】図３のVI−VI線断面図である。
【図７】図３のVII−VII線断面図である。
【図８】図３のVIII−VIII線断面図である。
【図９】左クランクケースの右側面図である。
【図１０】左クランクケースの左側面図である。
【図１１】図１０のXI−XI線断面図である。
【図１２】図１０のXII−XII線断面図である。
【図１３】左サイドカバーの左側面図である。
【図１４】図１３のXIV−XIV線断面図である。
【符号の説明】
【００８１】
Ｂ３…吐出ケース油路、Ｂ４…吐出ケース油路、Ｂ５…吐出ケース油路、Ｂ６…流出ケース油路、Ｂ７…ケース油路、Ｃ１，Ｃ２，Ｃ３，Ｃ４…軸油路、
Ｅ…内燃機関、Ｍ…変速機、11…クランクケース、12…シリンダブロック、12ａ…シリンダ、13…シリンダヘッド、
20…クランク軸、20Lj，20Rj…メインジャーナル部、26…ＡＣジェネレータ、40…左サイドカバー、41…円筒部、45…右サイドカバー、
70…スカベンジポンプ、72…ポンプ駆動軸、80…フィードポンプ、86ｓ…オイルポンプ被動スプロケット、87…オイルポンプ駆動チェーン、
92…オイルフィルタ、93…フィルタハウジング。
【図１】
2009162194.tif 000003
【図２】
2009162194.tif 000004
【図３】
2009162194.tif 000005
【図４】
2009162194.tif 000006
【図５】
2009162194.tif 000007
【図６】
2009162194.tif 000008
【図７】
2009162194.tif 000009
【図８】
2009162194.tif 000010
【図９】
2009162194.tif 000011
【図１０】
2009162194.tif 000012
【図１１】
2009162194.tif 000013
【図１２】
2009162194.tif 000014
【図１３】
2009162194.tif 000015
【図１４】
2009162194.tif 000016